(57)【特許請求の範囲】
【請求項１】
電気かみそりを装着させて少なくとも充電を行う充電器における電気かみそりと充電器との保持構造において、
前記電気かみそり本体より通電端子を突出させ、前記通電端子を定位置に誘導するガイド部を前記充電器の接点部に設け、前記接点部を弾性体にて付勢し、
前記電気かみそりを前記充電器に投入すると、前記電気かみそりが自重で前記充電器の底方向に挿入され、その挿入途中で前記充電器の前記ガイド部に前記電気かみそりの前記通電端子がガイドされ、前記充電器の前記接点部の所定の位置に前記電気かみそりの前記通電端子が落ち着くことを特徴とする電気かみそりと充電器との保持構造。
【請求項２】
前記通電端子は、前記電気かみそりの両側面の対称位置に設置されており、前記ガイド部は、前記電気かみそりの前後方向をガイドすることを特徴とする請求項１記載の電気かみそりと充電器との保持構造。
【請求項３】
前記接点部は、導電部材と非導電部材からなり、前記ガイド部は、非導電部材で構成されていることを特徴とする請求項１又は２記載の電気かみそりと充電器との保持構造。
【請求項４】
前記ガイド部は、上端開放の略Ｖ字形状に形成されていることを特徴とする請求項１から３のいずれか一項に記載の電気かみそりと充電器との保持構造。
【請求項５】
前記ガイド部の略Ｖ字形状は、前面側の角度の方が後面側の角度より小さいことを特徴とする請求項４記載の電気かみそりと充電器との保持構造。
【発明の詳細な説明】
【技術分野】
【０００１】
本発明は、電気かみそりと充電器との保持構造に関する。
【背景技術】
【０００２】
従来より、電気かみそりを充電器に安定して装着保持するための技術が提案されている。例えば、特許文献１には、洗浄充電器に設けた可動保持アームで電気かみそりを引っ張って洗浄充電器に保持させる機械式保持機構が開示されている。また、特許文献２には、電気かみそりと洗浄充電器との保持に磁石の吸着力を利用した磁石式保持機構が開示されている。
【先行技術文献】
【特許文献】
【０００３】
【特許文献１】特開２００４−２６１２０８号公報
【特許文献２】特開２００８−１８１２８号公報
【発明の概要】
【発明が解決しようとする課題】
【０００４】
しかしながら、従来技術によると、電気かみそりと充電器とを電気接続するためには、磁石などの吸着力を必要としたり、何らかの機構が必要であった。また、樹脂成形部分同士での位置決めや保持を実施しているため、着脱を繰り返すと樹脂成形部品に傷が入るという問題もあった。
【０００５】
そこで、本発明は、簡単な構造で安定して電気かみそりを保持することのできる電気かみそりと充電器との保持構造を得ることを目的とする。
【課題を解決するための手段】
【０００６】
本発明は、電気かみそりを装着させて少なくとも充電を行う充電器における電気かみそりと充電器との保持構造において、前記電気かみそり本体より通電端子を突出させ、前記通電端子を定位置に誘導するガイド部を前記充電器の接点部に設け、前記接点部を弾性体にて付勢し、前記電気かみそりを前記充電器に投入すると、前記電気かみそりが自重で前記充電器の底方向に挿入され、その挿入途中で前記充電器の前記ガイド部に前記電気かみそりの前記通電端子がガイドされ、前記充電器の前記接点部の所定の位置に前記電気かみそりの前記通電端子が落ち着くことを特徴とする。
【０００７】
また、本発明において、前記通電端子は、前記電気かみそりの両側面の対称位置に設置されており、前記ガイド部は、前記電気かみそりの前後方向をガイドしてもよい。
【０００８】
また、本発明において、前記接点部は、導電部材と非導電部材からなり、前記ガイド部は、非導電部材で構成されていてもよい。
【０００９】
また、本発明において、前記ガイド部は、上端開放の略Ｖ字形状に形成されていてもよい。
【００１０】
また、本発明において、前記ガイド部の略Ｖ字形状は、前面側の角度の方が後面側の角度より小さくてもよい。
【発明の効果】
【００１１】
本発明によれば、簡単な構造で安定して電気かみそりを保持することのできる電気かみそりと充電器との保持構造を提供することが可能となる。
【図面の簡単な説明】
【００１２】
【図１】図１は、本発明の一実施形態にかかる電気かみそりの正面図である。
【図２】図２は、本発明の一実施形態にかかる電気かみそりの側面図である。
【図３】図３は、本発明の一実施形態にかかる電気かみそりの背面図である。
【図４】図４は、本発明の一実施形態にかかる電気かみそりの中央断面図である。
【図５】図５は、本発明の一実施形態にかかる電気かみそりの分解斜視図である。
【図６】図６は、本発明の一実施形態にかかる電気かみそりを充電器に装着したときの正面図である。
【図７】図７は、本発明の一実施形態にかかる充電器の正面図である。
【図８】図８は、本発明の一実施形態にかかる充電器の側面図である。
【図９】図９は、本発明の一実施形態にかかる充電器の中央断面図である。
【図１０】図１０は、本発明の一実施形態にかかる充電器の分解斜視図である。
【図１１】図１１は、本発明の一実施形態にかかる充電器の接点部の拡大図であって、（Ａ）は電気かみそり側から見た場合の斜視図、（Ｂ）は充電器の本体ケース側から見た場合の斜視図である。
【図１２】図１２は、本発明の一実施形態にかかる充電器の接点部の拡大図である。
【発明を実施するための形態】
【００１３】
以下、本発明の実施形態について図面を参照しながら詳細に説明する。なお、以下では、複数の外刃が並設される方向を前後方向Ｘ、各外刃が延在する方向を左右方向Ｙ、外刃が上方を向くようにヘッド部を配置した状態における上下方向を上下方向Ｚとする。また、電気かみそりのスイッチ部が設けられている側を前後方向Ｘ前方とする。
【００１４】
まず、本実施形態にかかる電気かみそり１０の構成を図１〜図５を用いて説明する。図１は電気かみそり１０の正面図、図２は電気かみそり１０の側面図、図３は電気かみそり１０の背面図、図４は電気かみそり１０の中央断面図、図５は電気かみそり１０の分解斜視図である。
【００１５】
これらの図に示すように、電気かみそり１０は、手で把持する本体（グリップ部）１１と、本体１１に支持されるヘッド部１２とを備えている。本体１１には、図示しない回転モータの駆動をオン・オフさせるスイッチ部１３が設けられている。ヘッド部１２の上方に向けて露出する外刃１４の内方に配設された内刃１５を外刃１４に対して相対移動（左右方向Ｙへ往復動）させることで、外刃１４の刃穴内に挿入された体毛を外刃１４と内刃１５とで協働して切断する。本体１１の両側面の対称位置からは一対の通電端子１０１が突出している。この通電端子１０１を後述する充電器の接点部と電気接続することで電気かみそり１０が充電される構造となっている。
【００１６】
図５に示すように、通電端子１０１は充電プラグ３０を介してリード線３１に接続され、リード線３１は電池陰極金具３２及び電池陽極金具３３を介して電池基台３４内の蓄電池３５と接続されている。通電端子１０１を充電器の接点部と電気接続すると、充電器から給電された電力により蓄電池３５を充電することができる。
【００１７】
次に、充電器２０の構成を図６〜図１０を用いて説明する。図６は電気かみそり１０を充電器２０に装着したときの正面図である。図７は充電器２０の正面図、図８は充電器２０の側面図、図９は充電器２０の中央断面図、図１０は充電器２０の分解斜視図である。
【００１８】
充電器２０の本体ケース４の上方及び前方は開放され、充電器２０の上方及び斜め前方から電気かみそり１０を容易に投入できるようになっている。ヘッド部１２を上向きにして電気かみそり１０を充電器２０に投入すると、電気かみそり１０は自重で充電器２０の底方向に挿入されて行く。その挿入途中で充電器２０のガイド部１０３に電気かみそり１０の通電端子１０１がガイドされ、充電器２０の接点部１０２の所定の位置に電気かみそり１０の通電端子１０１が落ち着く。充電器２０の接点部１０２は弾性的に付勢され、接点部１０２が電気かみそり１０の通電端子１０１を両側から挟み込む構造となっている。
【００１９】
図１０の分解斜視図では、充電器２０の本体ケース４を上下方向に分解するとともに、本体ケース４と底面ケース９とを分解した状態を示している。本体ケース４と底面ケース９との間には、電源を変圧するトランス７が収容されている。本体ケース４には、ＬＥＤの駆動を制御するＬＥＤ回路８と、ＬＥＤの光を導くＬＥＤカバー５が配置されている。電気かみそり１０が充電器２０に装着され、電気かみそり１０の通電端子１０１が充電器２０の接点部１０２と電気接続されると、ＬＥＤが点灯して、充電中であることをユーザーが認識できるようになっている。
【００２０】
図１１は、充電器２０の接点部１０２の拡大図であって、（Ａ）は電気かみそり１０側から見た場合の斜視図、（Ｂ）は充電器２０の本体ケース４側から見た場合の斜視図である。接点部１０２は、金属で構成される通電部である接続金具１０６と、ばね１０７による反力により接触圧を確保する接点制動子１０８と、非導電部材である接点カバー１０５とを備えている。この図に示すように、通電端子１０１を定位置１０４に誘導するガイド部１０３を接点部１０２に設け、接点部１０２をばね１０７にて付勢している。定位置１０４とは、通電端子１０１がガイドされて最終的に落ち着く位置（下端）である。ここでは、コイル状のばね１０７の径の中心が定位置１０４に対応している。このようにすれば、ばね１０７による反力で通電端子１０１と接点部１０２に適切な接触圧を付加することができる。ガイド部１０３は、定位置１０４より内側に突出しているが、この突出量がばね１０７によって変化する。すなわち、適切な接触圧を出すために接点部１０２が左右方向Ｙに可動する構成となっている。
【００２１】
このような構成によれば、電気かみそり１０の通電端子１０１自体を充電器２０の接点部１０２の形状のみで定位置１０４に誘うことができるため、通電端子１０１を安定して接点部１０２の所定の位置に接触させることが可能である。また、電気かみそり１０を充電器２０に装着した後に振動等で通電端子１０１が外れることを防ぐことも可能である。
【００２２】
電気かみそり１０を充電器２０に装着したとき、電気かみそり１０の左右方向Ｙの装着位置は、接点部１０２のピッチ距離で決まり、また、電気かみそり１０の上下方向Ｚの装着位置は、電気かみそり１０の自重で決まる。そこで、ガイド部１０３は、電気かみそり１０の前後方向Ｘをガイドするようになっている。これにより、ＸＹＺの各方向が決まるため、通電端子１０１を安定して接点部１０２の定位置１０４に接触させることが可能である。
【００２３】
電気かみそり１０の下支点が充電器２０と接触するかどうかは特に限定されるものではない。すなわち、電気かみそり１０の通電端子１０１が定位置１０４にあるとき、電気かみそり１０の下支点は浮いた状態であってもよいし、充電器２０の部材と接触する状態であってもよい。
【００２４】
接点部１０２は、導電部材と非導電部材からなり、ガイド部１０３は、非導電部材で構成されている。このようにガイド部１０３を非導電部材で構成することで、通電端子１０１の前後方向位置が定位置１０４に取り付けられていない場合は導通しない構造とすることができる。すなわち、定位置１０４に取り付けられていない場合は、電気かみそり１０の通電端子１０１と充電器２０の接点部１０２に適切な接触圧が付加されていない可能性がある。そこで、このような場合は、取り付け位置が異常であることをユーザーが認識できるようにするのが好ましい。ガイド部１０３を非導電部材で構成することで、定位置１０４に取り付けられていない場合は導通しないため、ＬＥＤが点灯しない。これにより、ユーザーは取り付け位置が異常であることを認識することができる。
【００２５】
ガイド部１０３は、上端開放の略Ｖ字形状となるように成形材料で構成されている。このように略Ｖ字形状とすることで、より安定して通電端子１０１をガイドすることができる。ガイド部１０３の略Ｖ字形状は、図１２に示すように、前面側の角度αの方が後面側の角度βより小さいのが好ましい。前面側の角度αとは、前方ガイド部１０３ａのガイド方向と水平方向との間の角度である。後面側の角度βとは、後方ガイド部１０３ｂのガイド方向と水平方向との間の角度である。このように前面側の角度αを小さくすることで使用性が向上する。すなわち、電気かみそり１０を充電器２０に斜め前方から装着することが容易になる。また、電気かみそり１０を充電器２０から斜め前方に取り外すことも容易になる。
【００２６】
以上のように、本実施形態では、電気かみそり１０の本体１１より通電端子１０１を突出させ、通電端子１０１を定位置１０４に誘導するガイド部１０３を充電器２０の接点部１０２に設け、接点部１０２をばね１０７にて付勢している。これにより、簡単な構造で安定して電気かみそりを保持することのできる電気かみそり１０と充電器２０との保持構造を得ることが可能である。すなわち、磁石など吸着力を必要する機構が不要となるため、部品点数を削減することができる。また、電気かみそり１０の金属端子を保持するようにしているため、樹脂成形部の傷を防止することができる。
【００２７】
また、通電端子１０１は、電気かみそり１０の両側面の対称位置に設置されており、ガイド部１０３は、電気かみそり１０の前後方向をガイドするようになっている。これにより、通電端子１０１をより安定して接点部１０２の定位置１０４に接触させることが可能である。
【００２８】
また、接点部１０２は、導電部材と非導電部材からなり、ガイド部１０３は、非導電部材で構成されている。このようにガイド部１０３を非導電部材で構成することで、通電端子１０１の前後方向位置が定位置１０４に取り付けられていない場合は導通しないため、ＬＥＤが点灯しない。これにより、ユーザーは取り付け位置が異常であることを認識することができる。また、ガイド部１０３を非導電部材にすることで、形状設定の自由度が向上するという効果もある。
【００２９】
また、ガイド部１０３は、上端開放の略Ｖ字形状に形成されている。このように略Ｖ字形状とすることで、より安定して通電端子１０１をガイドすることができる。
【００３０】
また、ガイド部１０３の略Ｖ字形状は、前面側の角度の方が後面側の角度より小さい。このように前面側の角度αを小さくすることで使用性が向上する。
【００３１】
以上、本発明の好適な実施形態について説明したが、本発明は上記実施形態には限定されず、種々の変形が可能である。例えば、ここでは、電気かみそり１０の両側面の対称位置に通電端子１０１が設置されているが、通電端子１０１の位置はこれに限定されるものではない。充電器２０の接点部１０２の位置も通電端子１０１の位置に合わせて適宜変更することができる。接点部１０２の細部のスペック（形状、大きさ、レイアウト等）も適宜変更することが可能である。もちろん、充電器２０は、電気かみそり１０のヘッド部１２を洗浄する機能など、充電以外の機能を備えていてもよい。
【符号の説明】
【００３２】
１０  電気かみそり
１１  本体
２０  充電器
１０１  通電端子
１０２  接点部
１０３  ガイド部
１０５  接点カバー（非導電部材）
１０６  接続金具（導電部材）
１０７  ばね（弾性体）
α  略Ｖ字形状の前面側の角度
β  略Ｖ字形状の後面側の角度
【図１】
0005873987.tif 000002
【図２】
0005873987.tif 000003
【図３】
0005873987.tif 000004
【図４】
0005873987.tif 000005
【図５】
0005873987.tif 000006
【図６】
0005873987.tif 000007
【図７】
0005873987.tif 000008
【図８】
0005873987.tif 000009
【図９】
0005873987.tif 000010
【図１０】
0005873987.tif 000011
【図１１】
0005873987.tif 000012
【図１２】
0005873987.tif 000013